(57)【特許請求の範囲】
【請求項１】
平坦なシート状の複数の仕切り部材（15）と、
上記仕切り部材（15）と交互に積層されて隣り合う上記仕切り部材（15）の間隔を保持する間隔保持部材（25,55）とを備え、
上記仕切り部材（15）を挟んで第１流路（21）と第２流路（51）とが交互に形成された熱交換器であって、
上記間隔保持部材（25,55）は、上記仕切り部材（15）の周縁に沿った枠部（30,60）を有し、
上記枠部（30,60）は、
該枠部（30,60）の周縁に沿った外側部（33,63）と、
該外側部（33,63）の内側に位置して上記外側部（33,63）に沿った内側部（36,66）と、
上記枠部（30,60）によって囲まれた上記第１流路（21）又は上記第２流路（51）を該枠部（30,60）の外部に連通させる連通用開口（22,52）とを有し、
上記枠部（30,60）の上記内側部（36,66）は、該内側部（36,66）の隣に位置する上記間隔保持部材（25,55）との間に上記仕切り部材（15）を挟んで保持し、
上記外側部（33,63）は、上記枠部（30,60）のうち上記連通用開口（22,52）が形成された部分と上記連通用開口（22,52）が形成されていない部分との両方に沿って形成され、
上記枠部（30,60）の上記外側部（33,63）と該外側部（33,63）の隣に位置する上記間隔保持部材（25,55）との間に外側隙間（81）が形成される一方、
上記第１流路（21）に連通する上記連通用開口（22）又は上記第２流路（51）に連通する上記連通用開口（52）が配置された上記熱交換器の側面が開口側面であり、
上記第１流路（21）に連通する上記連通用開口（22）と上記第２流路（51）に連通する上記連通用開口（52）のどちらも配置されない上記熱交換器の側面が閉塞側面であり、
上記外側隙間（81）は、上記開口側面と上記閉塞側面とに沿って形成され、上記開口側面と上記閉塞側面とに開口する
ことを特徴とする熱交換器。
【請求項２】
請求項１において、
上記外側隙間（81）を埋めるように設けられ、上記枠部（30,60）の上記外側部（33,63）を該外側部（33,63）の隣に位置する上記間隔保持部材（25,55）に接着する接着層（85）を備える
ことを特徴とする熱交換器。
【請求項３】
平坦なシート状の複数の仕切り部材（15）と、
上記仕切り部材（15）と交互に積層されて隣り合う上記仕切り部材（15）の間隔を保持する間隔保持部材（25,55）とを備え、
上記仕切り部材（15）を挟んで第１流路（21）と第２流路（51）とが交互に形成された熱交換器であって、
上記間隔保持部材（25,55）は、上記仕切り部材（15）の周縁に沿った枠部（30,60）を有し、
上記枠部（30,60）は、該枠部（30,60）の周縁に沿った外側部（33,63）と、該外側部（33,63）の内側に位置して上記外側部（33,63）に沿った内側部（36,66）とを有し、
上記枠部（30,60）の上記内側部（36,66）は、該内側部（36,66）の隣に位置する上記間隔保持部材（25,55）との間に上記仕切り部材（15）を挟んで保持し、
上記枠部（30,60）の上記外側部（33,63）と該外側部（33,63）の隣に位置する上記間隔保持部材（25,55）との間に外側隙間（81）が形成され、
上記外側隙間（81）を埋めるように設けられ、上記枠部（30,60）の上記外側部（33,63）を該外側部（33,63）の隣に位置する上記間隔保持部材（25,55）に接着する接着層（85）を備え、
上記接着層（85）と同じ材質からなり、上記接着層（85）に連続して形成されて上記熱交換器（10）の外面を覆う被覆層（86）を備える
ことを特徴とする熱交換器。
【請求項４】
請求項２又は３において、
上記接着層（85）は、紫外線を受けて硬化する接着剤によって構成される
ことを特徴とする熱交換器。
【請求項５】
請求項２又は３において、
上記接着層（85）は、抗菌成分と防カビ成分とを含む
ことを特徴とする熱交換器。
【請求項６】
請求項２乃至５のいずれか一つにおいて、
上記間隔保持部材（25,55）の上記枠部（30,60）には、
上記仕切り部材（15）の積層方向の一方の面から突出する位置決め突起（37,67）と、
他方の面に開口して上記枠部（30,60）の隣に位置する上記間隔保持部材（25,55）の上記位置決め突起（37,67）が嵌り込む位置決め孔（38,68）とが形成され、
上記間隔保持部材（25,55）の上記枠部（30,60）は、上記位置決め突起（37,67）と該位置決め突起（37,67）が形成された面とが、上記位置決め突起（37,67）が嵌まり込む上記位置決め孔（38,68）が形成された上記間隔保持部材（25,55）に、上記接着層（85）によって接着される
ことを特徴とする熱交換器。
【発明の詳細な説明】
【技術分野】
【０００１】
本開示は、熱交換器に関するものである。
【背景技術】
【０００２】
特許文献１には、換気装置に用いられる熱交換素子が開示されている。この熱交換素子は、給気と排気を熱交換させる熱交換器である。この熱交換器では、樹脂枠と伝熱板とが交互に複数ずつ積層される。この熱交換器では、樹脂枠と伝熱板の積層方向に、給気側の空気流路と排気側の空気流路が交互に形成される。隣り合う空気流路は、伝熱板によって仕切られる。そして、この熱交換器では、給気側の空気流路を流れる空気と、排気側の空気流路を流れる空気とが、伝熱板を介して顕熱と潜熱（水分）を交換する。
【先行技術文献】
【特許文献】
【０００３】
【特許文献１】特開２００７−１００９９７号公報
【発明の概要】
【発明が解決しようとする課題】
【０００４】
特許文献１の熱交換器では、樹脂枠と伝熱板とが交互に複数ずつ積層される。そのため、樹脂枠の寸法精度が不充分な場合は、樹脂枠の周縁部と伝熱板の隙間を、樹脂枠の全周に亘ってシールするのが困難となる。そして、その結果、熱交換器の気密性が低下し、空気流路の出入口以外の経路を通って空気流路から漏出し、または空気流路へ侵入する空気の量が多くなるおそれがある。
【０００５】
本開示の目的は、熱交換器の気密性を向上させることにある。
【課題を解決するための手段】
【０００６】
本開示の第１の態様は、平坦なシート状の複数の仕切り部材（15）と、上記仕切り部材（15）と交互に積層されて隣り合う上記仕切り部材（15）の間隔を保持する間隔保持部材（25,55）とを備え、上記仕切り部材（15）を挟んで第１流路（21）と第２流路（51）とが交互に形成された熱交換器（10）を対象とする。そして、上記間隔保持部材（25,55）は、上記仕切り部材（15）の周縁に沿った枠部（30,60）を有し、上記枠部（30,60）は、該枠部（30,60）の周縁に沿った外側部（33,63）と、該外側部（33,63）の内側に位置して上記外側部（33,63）に沿った内側部（36,66）と、上記枠部（30,60）によって囲まれた上記第１流路（21）又は上記第２流路（51）を該枠部（30,60）の外部に連通させる連通用開口（22,52）とを有し、上記枠部（30,60）の上記内側部（36,66）は、該内側部（36,66）の隣に位置する上記間隔保持部材（25,55）との間に上記仕切り部材（15）を挟んで保持し、上記外側部（33,63）は、上記枠部（30,60）のうち上記連通用開口（22,52）が形成された部分と上記連通用開口（22,52）が形成されていない部分との両方に沿って形成され、上記枠部（30,60）の上記外側部（33,63）と該外側部（33,63）の隣に位置する上記間隔保持部材（25,55）との間に外側隙間（81）が形成される一方、上記第１流路（21）に連通する上記連通用開口（22）又は上記第２流路（51）に連通する上記連通用開口（52）が配置された上記熱交換器の側面が開口側面であり、上記第１流路（21）に連通する上記連通用開口（22）と上記第２流路（51）に連通する上記連通用開口（52）のどちらも配置されない上記熱交換器の側面が閉塞側面であり、上記外側隙間（81）は、上記開口側面と上記閉塞側面とに沿って形成され、上記開口側面と上記閉塞側面とに開口することを特徴とする。
【０００７】
本開示の第３の態様は、平坦なシート状の複数の仕切り部材（15）と、上記仕切り部材（15）と交互に積層されて隣り合う上記仕切り部材（15）の間隔を保持する間隔保持部材（25,55）とを備え、上記仕切り部材（15）を挟んで第１流路（21）と第２流路（51）とが交互に形成された熱交換器（10）を対象とする。そして、上記間隔保持部材（25,55）は、上記仕切り部材（15）の周縁に沿った枠部（30,60）を有し、上記枠部（30,60）は、該枠部（30,60）の周縁に沿った外側部（33,63）と、該外側部（33,63）の内側に位置して上記外側部（33,63）に沿った内側部（36,66）とを有し、上記枠部（30,60）の上記内側部（36,66）は、該内側部（36,66）の隣に位置する上記間隔保持部材（25,55）との間に上記仕切り部材（15）を挟んで保持し、上記枠部（30,60）の上記外側部（33,63）と該外側部（33,63）の隣に位置する上記間隔保持部材（25,55）との間に外側隙間（81）が形成されることを特徴とする。
【０００８】
第１，第３の各態様では、仕切り部材（15）の周縁に沿った枠部（30,60）に、外側部（33,63）と内側部（36,66）とが設けられる。熱交換器（10）では、各仕切り部材（15）の外側部（33,63）と、その外側部（33,63）の隣に位置する間隔保持部材（25,55）との間に、外側隙間（81）が形成される。また、熱交換器（10）では、各仕切り部材（15）の内側部（36,66）が、その内側部（36,66）の隣に位置する上記間隔保持部材（25,55）との間に上記仕切り部材（15）を挟んで保持する。その結果、間隔保持部材（25,55）の枠部（30,60）と仕切り部材（15）との間がシールされ、熱交換器の気密性が向上する。
【０００９】
本開示の第２の態様は、上記第１の態様において、上記外側隙間（81）を埋めるように設けられ、上記枠部（30,60）の上記外側部（33,63）を該外側部（33,63）の隣に位置する上記間隔保持部材（25,55）に接着する接着層（85）を備えることを特徴とする。
【００１０】
本開示の第３の態様は、上記の構成に加えて、上記外側隙間（81）を埋めるように設けられ、上記枠部（30,60）の上記外側部（33,63）を該外側部（33,63）の隣に位置する上記間隔保持部材（25,55）に接着する接着層（85）を備えることを特徴とする。
【００１１】
第２，第３の各態様では、外側隙間（81）を埋めるように設けられた接着層（85）によって、隣り合う間隔保持部材（25,55）が互いに接着される。また、外側隙間（81）が接着層（85）によって埋められるため、熱交換器（10）の気密性が向上し、その結果、正規の経路以外の経路を通って空気の流路（21,51）から漏出し、または空気の流路（21,51）へ侵入する空気の量が抑えられる。
【００１２】
本開示の第３の態様は、上記の構成に加えて、上記接着層（85）と同じ材質からなり、上記接着層（85）に連続して形成されて上記熱交換器（10）の外面を覆う被覆層（86）を備えることを特徴とする。
【００１３】
第３の態様では、熱交換器（10）の外面が被覆層（86）によって覆われる。このため、熱交換器（10）の外面が被覆層（86）によって保護され、熱交換器（10）の信頼性が向上する。
【００１４】
本開示の第４の態様は、上記第２又は第３の態様において、上記接着層（85）は、紫外線を受けて硬化する接着剤によって構成されることを特徴とする。
【００１５】
第４の態様では、外側隙間（81）に入り込んだ接着剤に紫外線を照射することによって、熱交換器（10）に接着層（85）が形成される。
【００１６】
本開示の第５の態様は、上記第２又は第３の態様において、上記接着層（85）は、抗菌成分と防カビ成分とを含むことを特徴とする。
【００１７】
第５の態様では、熱交換器（10）における細菌とカビの繁殖を抑えることができ、熱交換器（10）を清潔に保つことができる。
【００１８】
本開示の第６の態様は、上記第２〜第５のいずれか一つの態様において、上記間隔保持部材（25,55）の上記枠部（30,60）には、上記仕切り部材（15）の積層方向の一方の面から突出する位置決め突起（37,67）と、他方の面に開口して上記枠部（30,60）の隣に位置する上記間隔保持部材（25,55）の上記位置決め突起（37,67）が嵌り込む位置決め孔（38,68）とが形成され、上記間隔保持部材（25,55）の上記枠部（30,60）は、上記位置決め突起（37,67）と該位置決め突起（37,67）が形成された面とが、上記位置決め突起（37,67）が嵌まり込む上記位置決め孔（38,68）が形成された上記間隔保持部材（25,55）に、上記接着層（85）によって接着されることを特徴とする。
【００１９】
第６の態様において、各間隔保持部材（25,55）の位置決め突起（37,67）は、その間隔保持部材（25,55）の隣に位置する間隔保持部材（25,55）の位置決め孔（38,68）に入り込む。このことによって、隣り合う間隔保持部材（25,55）同士の相対的な位置が定まる。各間隔保持部材（25,55）の位置決め突起（37,67）は、その間隔保持部材（25,55）の隣に位置する間隔保持部材（25,55）と接着層（85）によって接着される。
【図面の簡単な説明】
【００２０】
【図１】図１は、実施形態１の熱交換器の斜視図である。
【図２】図２は、実施形態１の熱交換器の平面図である。
【図３】図３は、実施形態１の熱交換器の一部を抜き出して示す平面図である。
【図４】図４は、実施形態１の第１フレームの平面図である。
【図５】図５は、実施形態１の第１フレームの一部を表（おもて）面側から見た状態を示す斜視図である。
【図６】図６は、実施形態１の第１フレームの一部を裏面側から見た状態を示す斜視図である。
【図７】図７は、実施形態１の第２フレームの平面図である。
【図８】図８は、実施形態１の第２フレームの一部を表（おもて）面側から見た状態を示す斜視図である。
【図９】図９は、実施形態１の第２フレームの一部を裏面側から見た状態を示す斜視図である。
【図１０】図１０は、図３のX−X断面の一部を拡大して示す熱交換器の断面図である。
【図１１】図１１は、図３のXI−XI断面の一部を拡大して示す熱交換器の断面図である。
【図１２】図１２は、図３のXII−XII断面の一部を拡大して示す熱交換器の断面図である。
【図１３】図１３は、製造途中の実施形態１の熱交換器の図１２に対応する断面を示す断面図である。
【図１４】図１４は、実施形態２の熱交換器の図１２に対応する断面を示す断面図である。
【発明を実施するための形態】
【００２１】
《実施形態１》
実施形態１について説明する。本実施形態の熱交換器（10）は、いわゆる全熱交換器である。この熱交換器（10）は、換気装置に設けられ、室内へ供給される室外空気（給気）と、室外へ排出される室内空気（排気）との間で、顕熱と潜熱（水分）を交換させる。
【００２２】
−熱交換器の全体構成−
図１に示すように、熱交換器（10）は、端面が多角形の柱状に形成される。本実施形態の熱交換器（10）の端面は、横長の八角形状である。図２にも示すように、熱交換器（10）には、一つの主熱交換部（11）と、二つの副熱交換部（12a,12b）とが形成される。
【００２３】
主熱交換部（11）は、熱交換器（10）のうち図２の左右方向の中央に位置する。図２に示す熱交換器（10）の平面図において、主熱交換部（11）は、横長の長方形状の部分である。副熱交換部（12a,12b）は、熱交換器（10）のうち図２の左右方向における主熱交換部（11）の側方に位置する。熱交換器（10）では、図２の左右方向における主熱交換部（11）の両側に、副熱交換部（12a,12b）が一つずつ配置される。図２に示す熱交換器（10）の平面図において、各副熱交換部（12a,12b）は、台形状の部分である。
【００２４】
熱交換器（10）は、第１エレメント（20）及び第２エレメント（50）を複数ずつ備える。熱交換器（10）において、第１エレメント（20）と第２エレメント（50）は、交互に重なり合っている。第１エレメント（20）は、第１流路（21）を形成する。第１流路（21）は、給気が流れる流路である。第２エレメント（50）は、第２流路（51）を形成する。第２流路（51）は、排気が流れる流路である。熱交換器（10）では、第１エレメント（20）及び第２エレメント（50）の積層方向に、第１流路（21）と第２流路（51）が交互に形成される。
【００２５】
熱交換器（10）の側面（第１エレメント（20）及び第２エレメント（50）の積層方向に沿った面）には、第１流入口（22a）と、第１流出口（22b）と、第２流入口（52a）と、第２流出口（52b）とが形成される。第１流入口（22a）及び第１流出口（22b）は、第１エレメント（20）に形成されて第１流路（21）に連通する。第２流入口（52a）及び第２流出口（52b）は、第２エレメント（50）に形成されて第２流路（51）に連通する。
【００２６】
図２及び図３にも示すように、第１流入口（22a）と、第１流出口（22b）と、第２流入口（52a）と、第２流出口（52b）とは、それぞれが熱交換器（10）の異なる側面に形成される。熱交換器（10）の一方の副熱交換部（12a）では、一つの側面に第１流入口（22a）が開口し、他の側面に第２流出口（52b）が開口する。熱交換器（10）の他方の副熱交換部（12b）では、一つの側面に第１流出口（22b）が開口し、他の側面に第２流入口（52a）が開口する。
【００２７】
熱交換器（10）の側面は、積層された第１エレメント（20）及び第２エレメント（50）の外周面によって構成される。熱交換器（10）の側面は、実質的な平面である。
【００２８】
−空気の流れと熱交換作用−
図２に示すように、熱交換器（10）では、第１流入口（22a）へ室外空気ＯＡが流入し、第２流入口（52a）に室内空気ＲＡが流入する。第１流入口（22a）へ流入した室外空気ＯＡは、給気として第１流路（21）を流れ、一方の副熱交換部（12a）と、主熱交換部（11）と、他方の副熱交換部（12b）とを順に通過し、その後に第１流出口（22b）から流出して室内へ供給される。第２流入口（52a）へ流入した室内空気ＲＡは、排気として第２流路（51）を流れ、他方の副熱交換部（12b）と、主熱交換部（11）と、一方の副熱交換部（12a）とを順に通過し、その後に第２流出口（52b）から流出して室外へ排出される。
【００２９】
熱交換器（10）の各副熱交換部（12a,12b）において、第１流路（21）を流れる給気と第２流路（51）を流れる排気とは、互いに交差する方向に流れる。熱交換器（10）の主熱交換部（11）において、第１流路（21）を流れる給気と第２流路（51）を流れる排気とは、互いに逆向きに流れる。
【００３０】
熱交換器（10）では、第１流路（21）を流れる給気と第２流路（51）を流れる排気との間で、顕熱と潜熱（水分）の交換が行われる。熱交換器（10）では、給気と排気のうち温度が高い方から温度が低い方へ熱が移動する。また、熱交換器（10）では、給気と排気のうち湿度が高い方から湿度が低い方へ水分が移動する。
【００３１】
−第１エレメント、第２エレメント−
図１０〜図１２に示すように、第１エレメント（20）は第１フレーム（25）と仕切りシート（15）とを備え、第２エレメント（50）は第２フレーム（55）と仕切りシート（15）とを備える。
【００３２】
詳しくは後述するが、第１フレーム（25）と第２フレーム（55）のそれぞれは、射出成形によって形成された樹脂製の扁平な部材である。以下の説明では、図１０，図１１，図１２における第１フレーム（25）及び第２フレーム（55）の上面を「表（おもて）面」とし、図１０，図１１，図１２における第１フレーム（25）及び第２フレーム（55）の下面を「裏面」とする。
【００３３】
仕切りシート（15）は、透湿性が高くて通気性が低いシート状の部材である。この仕切りシート（15）は、第１流路（21）と第２流路（51）を仕切る仕切り部材である。仕切りシート（15）の材質は、親水基と疎水基を含む高分子材料（例えば、ポリウレタン）である。仕切りシート（15）の厚さは、例えば１〜３０μｍ程度である。
【００３４】
なお、仕切りシート（15）は、紙や不織布などによって構成されていてもよい。仕切りシート（15）を構成する紙または不織布の材質としては、繊維状の樹脂、繊維状の金属、ガラス繊維、パルプが例示される。
【００３５】
第１エレメント（20）において、仕切りシート（15）は、接着剤によって第１フレーム（25）の裏面に接着される。仕切りシート（15）は、第１フレーム（25）の裏面のほぼ全体を覆う。第２エレメント（50）において、仕切りシート（15）は、接着剤によって第２フレーム（55）の裏面に接着される。仕切りシート（15）は、第２フレーム（55）の裏面のほぼ全体を覆う。
【００３６】
−第１フレーム−
図４に示すように、第１フレーム（25）は、平面視で横長の八角形状に形成される。平面視における第１フレーム（25）の外形は、熱交換器（10）の端面の形状と実質的に同じである。第１フレーム（25）は、隣り合う仕切りシート（15）の間隔を保つ第１間隔保持部材である。
【００３７】
第１フレーム（25）には、一つの中央エリア（26）と、二つの端部エリア（27a,27b）とが形成される。中央エリア（26）は、横長の長方形状のエリアであって、図４の左右方向の中央に位置する。第１フレーム（25）において、端部エリア（27a,27b）は、中央エリア（26）の両側に一つずつ形成される。端部エリア（27a,27b）は、図４の左右方向における中央エリア（26）の側方に位置する台形状のエリアである。
【００３８】
〈枠部〉
第１フレーム（25）は、枠部（30）を備える。枠部（30）は、第１フレーム（25）の外周に沿って延びる部分であって、第１フレーム（25）の全周に亘って形成される。言い換えると、枠部（30）は、横長の八角形の枠状に形成される。枠部（30）は、第１フレーム（25）によって形成される第１流路（21）の周囲を囲う。また、枠部（30）は、仕切りシート（15）の周縁に沿っている。
【００３９】
第１フレーム（25）の枠部（30）には、二つの第１連通用開口（22）が形成される。各第１連通用開口（22）は、枠部（30）に囲まれた第１流路（21）を、枠部（30）の外側と連通させる。図４に示す枠部（30）において、一方の第１連通用開口（22）は、左側の端部エリア（27a）に位置する下向きの斜辺のほぼ全長に亘って形成され、第１流入口（22a）を構成する。また、図４に示す枠部（30）において、他方の第１連通用開口（22）は、右側の端部エリア（27b）に位置する上向きの斜辺のほぼ全長に亘って形成され、第１流出口（22b）を構成する。
【００４０】
図４〜図６に示すように、第１フレーム（25）の枠部（30）は、閉塞部（31）と、外側リブ（33）と、補助リブ（32）とを備える。外側リブ（33）は、その一部が凸条部（34）を構成する。閉塞部（31）には、凹条部（35）が形成される。
【００４１】
閉塞部（31）は、枠部（30）のうち第１連通用開口（22）が形成されていない六つの辺に沿って延びる。図１１，図１２に示すように、閉塞部（31）の断面の形状は、矩形の一つの角部を切り欠いた形状である。閉塞部（31）は、枠部（30）に囲まれた第１流路（21）を枠部（30）の外部から仕切る。閉塞部（31）の厚さは、第１流路（21）の厚さと実質的に等しい。
【００４２】
図４に示すように、外側リブ（33）は、枠部（30）の外周に沿って延びる部分であって、枠部（30）の全周に亘って形成される。外側リブ（33）は、枠部（30）の八つの辺の全てに沿って形成される。外側リブ（33）は、閉塞部（31）の表（おもて）面側に配置され、閉塞部（31）と一体に形成される。
【００４３】
図１１，図１２に示すように、外側リブ（33）は、閉塞部（31）に隣接する部分が凸条部（34）を構成する。凸条部（34）は、閉塞部（31）の最外周縁に沿って延び、閉塞部（31）の表面から突出する。凸条部（34）の外周面は、閉塞部（31）の外周面と共に一つの平面を形成する。
【００４４】
図１１，図１２に示すように、凹条部（35）は、閉塞部（31）の裏面に開口する凹溝である。凹条部（35）は、閉塞部（31）の全長に亘って、閉塞部（31）の最外周縁に沿って形成される。凹条部（35）は、閉塞部（31）の外周面にも開口する。凹条部（35）の断面の形状は、後述する第２フレーム（55）の凸条部（64）の断面に対応した形状である。第１フレーム（25）の凹条部（35）には、第２フレーム（55）の外側リブ（63）が嵌り込む。従って、第１フレーム（25）の凹条部（35）には、第２フレーム（55）の外側リブ（63）の一部である凸条部（64）が嵌り込む。
【００４５】
図４〜図６に示すように、補助リブ（32）は、第１連通用開口（22）に沿って延びる部分である。補助リブ（32）は、枠部（30）の裏面側に配置される。図１０に示すように、補助リブ（32）の断面の形状は、扁平な長方形状である。補助リブ（32）の表（おもて）面は、隣り合う第２フレーム（55）の凸条部（64）の突端面（図１０における上面）と、同一平面上に位置する。補助リブ（32）の裏面は、閉塞部（31）の裏面と同一平面上に位置する。
【００４６】
第１フレーム（25）の枠部（30）では、外側リブ（33）が、枠部（30）の周縁に沿った外側部である。また、閉塞部（31）のうち外側リブ（33）よりも内側に位置する部分が、外側リブ（33）に沿った内側部（36）である。
【００４７】
〈第１内側リブ、第１保持リブ〉
図４〜図６に示すように、第１フレーム（25）は、第１内側リブ（40）と、第１保持リブ（41a,41b）とを備える。第１内側リブ（40）及び第１保持リブ（41a,41b）は、第１フレーム（25）の各端部エリア（27a,27b）に設けられる。
【００４８】
第１内側リブ（40）は、真っ直ぐな棒状に形成され、第１連通用開口（22）と交わる方向に延びる。本実施形態において、第１内側リブ（40）は、枠部（30）の第１連通用開口（22）が形成された辺から、その辺と実質的に直交する方向に延びる。第１内側リブ（40）の高さは、第１流路（21）の厚さと実質的に等しい。
【００４９】
本実施形態の第１フレーム（25）の各端部エリア（27a,27b）には、四本の第１内側リブ（40）が、互いに平行な姿勢で、互いに概ね一定の間隔をおいて配置される。各端部エリア（27a,27b）において、四本の第１内側リブ（40）は、補助リブ（32）によって互いに連結される。各第１内側リブ（40）は、補助リブ（32）と一体に形成される。各第１内側リブ（40）の裏面は、補助リブ（32）の裏面と同一平面上に位置する。
【００５０】
第１保持リブ（41a,41b）は、真っ直ぐな棒状に形成され、第１内側リブ（40）と実質的に直交する方向に延びる。第１保持リブ（41a,41b）は、隣り合う第１内側リブ（40）の一方から他方に亘って形成される。言い換えると、第１保持リブ（41a,41b）は、第１流路（21）のうち隣り合う第１内側リブ（40）の間の部分を横断する。
【００５１】
図５，図６に示すように、隣り合う第１内側リブ（40）の間において、第１保持リブ（41a,41b）は、第１フレーム（25）の表（おもて）面側と裏面側に一つずつ配置される。第１フレーム（25）の表面側の第１保持リブ（41a）は、その表（おもて）面が、第１内側リブ（40）及び閉塞部（31）の表（おもて）面と同一平面上に位置する。第１フレーム（25）の裏面側の第１保持リブ（41b）は、その裏面が、第１内側リブ（40）及び閉塞部（31）の裏面と同一平面上に位置する。
【００５２】
第１保持リブ（41a,41b）は、後述する第２フレーム（55）の第２内側リブ（70）に沿って設けられる。平面視において、各第１保持リブ（41a,41b）は、その全長に亘って、隣り合う第２フレーム（55）の第２内側リブ（70）と重なり合う。また、第１フレーム（25）の表面側の第１保持リブ（41a）と、その裏面側の第１保持リブ（41b）は、平面視において互いに重なり合わない位置に設けられる。
【００５３】
各第１保持リブ（41a,41b）の厚さは、第１内側リブ（40）の厚さの半分未満である。第１フレーム（25）の表面側の第１保持リブ（41a）と、その裏面側の第１保持リブ（41b）は、第１内側リブ（40）の厚さ方向において離れている。
【００５４】
〈第１流路内リブ、第１支持リブ〉
図４〜図６に示すように、第１フレーム（25）は、第１流路内リブ（45）と、第１支持リブ（46a,46b）とを備える。第１流路内リブ（45）及び第１支持リブ（46a,46b）は、第１フレーム（25）の中央エリア（26）に設けられる。
【００５５】
第１流路内リブ（45）は、真っ直ぐな棒状に形成され、中央エリア（26）の長辺と平行な方向に延びる。言い換えると、第１流路内リブ（45）は、一方の端部エリア（27a）から他方の端部エリア（27b）に向かって延びる。第１流路内リブ（45）の高さは、第１流路（21）の厚さと実質的に等しい。本実施形態の第１フレーム（25）の中央エリア（26）には、九本の第１流路内リブ（45）が、互いに平行な姿勢で、互いに概ね一定の間隔をおいて配置される。
【００５６】
図４に示すように、第１支持リブ（46a,46b）は、真っ直ぐな棒状に形成され、第１流路内リブ（45）と実質的に直交する方向に延びる。第１支持リブ（46a,46b）は、隣り合う第１流路内リブ（45）の一方から他方に亘って形成される。言い換えると、第１支持リブ（46a,46b）は、第１流路（21）のうち隣り合う第１流路内リブ（45）の間の部分を横断する。
【００５７】
隣り合う第１流路内リブ（45）の間において、第１支持リブ（46a,46b）は、第１フレーム（25）の表（おもて）面側と裏面側に一つずつ配置される。第１フレーム（25）の表面側の第１支持リブ（46a）は、その表（おもて）面が、第１流路内リブ（45）及び閉塞部（31）の表（おもて）面と同一平面上に位置する。第１フレーム（25）の裏面側の第１支持リブ（46b）は、その裏面が、第１流路内リブ（45）及び閉塞部（31）の裏面と同一平面上に位置する。
【００５８】
各第１支持リブ（46a,46b）の厚さは、第１流路内リブ（45）の厚さの半分未満である。第１フレーム（25）の表面側の第１支持リブ（46a）と、その裏面側の第１支持リブ（46b）は、第１流路内リブ（45）の厚さ方向において離れている。また、第１フレーム（25）の表面側の第１支持リブ（46a）と、その裏面側の第１支持リブ（46b）は、平面視において互いに重なり合わない位置に設けられる。
【００５９】
−第２フレーム−
図７に示すように、第２フレーム（55）は、平面視で横長の八角形状に形成される。平面視における第２フレーム（55）の外形は、熱交換器（10）の端面の形状と実質的に同じである。第２フレーム（55）は、隣り合う仕切りシート（15）の間隔を保つ第２間隔保持部材である。
【００６０】
第２フレーム（55）には、一つの中央エリア（56）と、二つの端部エリア（57a,57b）とが形成される。中央エリア（56）は、横長の長方形状のエリアであって、図７の左右方向の中央に位置する。第２フレーム（55）において、端部エリア（57a,57b）は、中央エリア（56）の両側に一つずつ形成される。端部エリア（57a,57b）は、図７の左右方向における中央エリア（56）の側方に位置する台形状のエリアである。
【００６１】
〈枠部〉
第２フレーム（55）は、枠部（60）を備える。枠部（60）は、第２フレーム（55）の外周に沿って延びる部分であって、第２フレーム（55）の全周に亘って形成される。言い換えると、枠部（60）は、横長の八角形の枠状に形成される。枠部（60）は、第２フレーム（55）によって形成される第２流路（51）の周囲を囲う。また、枠部（60）は、仕切りシート（15）の周縁に沿っている。
【００６２】
第２フレーム（55）の枠部（60）には、二つの第２連通用開口（52）が形成される。各第２連通用開口（52）は、枠部（60）に囲まれた第２流路（51）を、枠部（60）の外側と連通させる。図７に示す枠部（60）において、一方の第２連通用開口（52）は、左側の端部エリア（57a）に位置する上向きの斜辺のほぼ全長に亘って形成され、第２流出口（52b）を構成する。また、図７に示す枠部（60）において、他方の第２連通用開口（52）は、右側の端部エリア（57b）に位置する下向きの斜辺のほぼ全長に亘って形成され、第２流入口（52a）を構成する。
【００６３】
図７〜図９に示すように、第２フレーム（55）の枠部（60）は、閉塞部（61）と、外側リブ（63）と、補助リブ（62）とを備える。外側リブ（63）は、その一部が凸条部（64）を構成する。閉塞部（61）には、凹条部（65）が形成される。
【００６４】
閉塞部（61）は、枠部（60）のうち第２連通用開口（52）が形成されていない六つの辺に沿って延びる。図１０，図１２に示すように、閉塞部（61）の断面の形状は、矩形の一つの角部を切り欠いた形状である。閉塞部（61）は、枠部（60）に囲まれた第２流路（51）を枠部（60）の外部から仕切る。閉塞部（61）の厚さは、第２流路（51）の厚さと実質的に等しい。
【００６５】
図７に示すように、外側リブ（63）は、枠部（60）の外周に沿って延びる部分であって、枠部（60）の全周に亘って形成される。外側リブ（63）は、枠部（60）の八つの辺の全てに沿って形成される。外側リブ（63）は、閉塞部（61）の表（おもて）面側に配置され、閉塞部（61）と一体に形成される。
【００６６】
図１０，図１２に示すように、外側リブ（63）は、閉塞部（61）に隣接する部分が凸条部（64）を構成する。凸条部（64）は、閉塞部（61）の最外周縁に沿って延び、閉塞部（61）の表面から突出する。凸条部（64）の外周面は、閉塞部（61）の外周面と共に一つの平面を形成する。
【００６７】
図１０，図１２に示すように、凹条部（65）は、閉塞部（61）の裏面に開口する凹溝である。凹条部（65）は、閉塞部（61）の全長に亘って、閉塞部（61）の最外周縁に沿って形成される。凹条部（65）は、閉塞部（61）の外周面にも開口する。凹条部（65）の断面の形状は、第１フレーム（25）の凸条部（34）の断面に対応した形状である。第２フレーム（55）の凹条部（65）には、第１フレーム（25）の外側リブ（33）が嵌り込む。従って、第２フレーム（55）の凹条部（65）には、第１フレーム（25）の外側リブ（33）の一部である凸条部（34）が嵌り込む。
【００６８】
図７〜図９に示すように、補助リブ（62）は、第２連通用開口（52）に沿って延びる部分である。補助リブ（62）は、枠部（60）の裏面側に配置される。図１１に示すように、補助リブ（62）の断面の形状は、扁平な長方形状である。補助リブ（62）の表（おもて）面は、隣り合う第１フレーム（25）の凸条部（34）の突端面（図１１における上面）と、同一平面上に位置する。補助リブ（62）の裏面は、閉塞部（61）の裏面と同一平面上に位置する。
【００６９】
第２フレーム（55）の枠部（60）では、外側リブ（63）が、枠部（60）の周縁に沿った外側部である。また、閉塞部（61）のうち外側リブ（63）よりも内側に位置する部分が、外側リブ（63）に沿った内側部（66）である。
【００７０】
〈第２内側リブ、第２保持リブ〉
図７〜図９に示すように、第２フレーム（55）は、第２内側リブ（70）と、第２保持リブ（71a,71b）とを備える。第２内側リブ（70）及び第２保持リブ（71a,71b）は、第２フレーム（55）の各端部エリア（57a,57b）に設けられる。
【００７１】
第２内側リブ（70）は、真っ直ぐな棒状に形成され、第２連通用開口（52）と交わる方向に延びる。本実施形態において、第２内側リブ（70）は、枠部（60）の第２連通用開口（52）が形成された辺から、その辺と実質的に直交する方向に延びる。第２内側リブ（70）の高さは、第２流路（51）の厚さと実質的に等しい。
【００７２】
本実施形態の第２フレーム（55）の各端部エリア（57a,57b）には、四本の第２内側リブ（70）が、互いに平行な姿勢で、互いに概ね一定の間隔をおいて配置される。各端部エリア（57a,57b）において、四本の第２内側リブ（70）は、補助リブ（62）によって互いに連結される。各第２内側リブ（70）は、補助リブ（62）と一体に形成される。各第２内側リブ（70）の裏面は、補助リブ（62）の裏面と同一平面上に位置する。
【００７３】
第２保持リブ（71a,71b）は、真っ直ぐな棒状に形成され、第２内側リブ（70）と実質的に直交する方向に延びる。第２保持リブ（71a,71b）は、隣り合う第２内側リブ（70）の一方から他方に亘って形成される。言い換えると、第２保持リブ（71a,71b）は、第２流路（51）のうち隣り合う第２内側リブ（70）の間の部分を横断する。
【００７４】
図８，図９に示すように、隣り合う第２内側リブ（70）の間において、第２保持リブ（71a,71b）は、第２フレーム（55）の表（おもて）面側と裏面側に一つずつ配置される。第２フレーム（55）の表面側の第２保持リブ（71a）は、その表（おもて）面が、第２内側リブ（70）及び閉塞部（61）の表（おもて）面と同一平面上に位置する。第２フレーム（55）の裏面側の第２保持リブ（71b）は、その裏面が、第２内側リブ（70）及び閉塞部（61）の裏面と同一平面上に位置する。
【００７５】
第２保持リブ（71a,71b）は、第１フレーム（25）の第１内側リブ（40）に沿って設けられる。平面視において、各第２保持リブ（71a,71b）は、その全長に亘って、隣り合う第１フレーム（25）の第１内側リブ（40）と重なり合う。また、第２フレーム（55）の表面側の第２保持リブ（71a）と、その裏面側の第２保持リブ（71b）は、平面視において互いに重なり合わない位置に設けられる。
【００７６】
各第２保持リブ（71a,71b）の厚さは、第２内側リブ（70）の厚さの半分未満である。第２フレーム（55）の表面側の第２保持リブ（71a）と、その裏面側の第２保持リブ（71b）は、第２内側リブ（70）の厚さ方向において離れている。
【００７７】
〈第２流路内リブ、第２支持リブ〉
図７〜図９に示すように、第２フレーム（55）は、第２流路内リブ（75）と、第２支持リブ（76a,76b）とを備える。第２流路内リブ（75）及第２支持リブ（76a,76b）は、第２フレーム（55）の中央エリア（56）に設けられる。
【００７８】
第２流路内リブ（75）は、真っ直ぐな棒状に形成され、中央エリア（56）の長辺と平行な方向に延びる。言い換えると、第２流路内リブ（75）は、一方の端部エリア（57a）から他方の端部エリア（57b）に向かって延びる。第２流路内リブ（75）の高さは、第２流路（51）の厚さと実質的に等しい。本実施形態の第２フレーム（55）の中央エリア（56）には、九本の第２流路内リブ（75）が、互いに平行な姿勢で、互いに概ね一定の間隔をおいて配置される。
【００７９】
図７に示すように、第２支持リブ（76a,76b）は、真っ直ぐな棒状に形成され、第２流路内リブ（75）と実質的に直交する方向に延びる。第２支持リブ（76a,76b）は、隣り合う第２流路内リブ（75）の一方から他方に亘って形成される。言い換えると、第２支持リブ（76a,76b）は、第２流路（51）のうち隣り合う第２流路内リブ（75）の間の部分を横断する。
【００８０】
隣り合う第２流路内リブ（75）の間において、第２支持リブ（76a,76b）は、第２フレーム（55）の表（おもて）面側と裏面側に一つずつ配置される。第２フレーム（55）の表面側の第２支持リブ（76a）は、その表（おもて）面が、第２流路内リブ（75）及び閉塞部（61）の表（おもて）面と同一平面上に位置する。第２フレーム（55）の裏面側の第２支持リブ（76b）は、その裏面が、第１流路内リブ（45）及び閉塞部（61）の裏面と同一平面上に位置する。
【００８１】
各第２支持リブ（76a,76b）の厚さは、第２流路内リブ（75）の厚さの半分未満である。第２フレーム（55）の表面側の第２支持リブ（76a）と、その裏面側の第２支持リブ（76b）は、第２流路内リブ（75）の厚さ方向において離れている。また、第２フレーム（55）の表面側の第２支持リブ（76a）と、その裏面側の第２支持リブ（76b）は、平面視において互いに重なり合わない位置に設けられる。
【００８２】
−外側隙間−
図１０に示すように、第１フレーム（25）の外側リブ（33）のうち第１連通用開口（22）に臨む部分の高さＨ１ａは、第２フレーム（55）の凹条部（65）の深さＤ２よりも小さい（Ｈ１ａ＜Ｄ２）。また、図１１に示すように、第１フレーム（25）の外側リブ（33）の一部である凸条部（34）は、第２連通用開口（52）に臨む部分の高さＨ１ｂが、第２フレーム（55）の補助リブ（62）の厚さＬ２と仕切りシート（15）の厚さｔの和（Ｌ２＋ｔ）よりも小さい（Ｈ１ｂ＜Ｌ２＋ｔ）。また、図１３に示すように、第１フレーム（25）の外側リブ（33）の一部である凸条部（34）は、主熱交換部（11）に位置する部分の高さＨ１ｃが、第２フレーム（55）の凹条部（65）の深さＤ２よりも小さい（Ｈ１ｃ＜Ｄ２）。
【００８３】
このため、熱交換器（10）では、第１フレーム（25）の外側リブ（33）の表（おもて）面と、その表面側に位置する第２エレメント（50）との間に、外側隙間（81）が形成される。この外側隙間（81）の幅Ｗ（＝Ｄ２−Ｈ１ａ＝Ｌ２＋ｔ−Ｈ１ｂ＝Ｄ２−Ｈ１ｃ）は、概ね０．１ｍｍ以上０．２ｍｍ以下程度である。
【００８４】
図１１に示すように、第２フレーム（55）の外側リブ（63）のうち第２連通用開口（52）に臨む部分の高さＨ２ａは、第１フレーム（25）の凹条部（65）の深さＤ１よりも小さい（Ｈ２ａ＜Ｄ１）。また、図１０に示すように、第２フレーム（55）の外側リブ（63）の一部である凸条部（64）は、第１連通用開口（22）に臨む部分の高さＨ２ｂが、第１フレーム（25）の補助リブ（32）の厚さＬ１と仕切りシート（15）の厚さｔの和（Ｌ１＋ｔ）よりも小さい（Ｈ２ｂ＜Ｌ１＋ｔ）。また、図１３に示すように、第２フレーム（55）の外側リブ（63）の一部である凸条部（64）は、主熱交換部（11）に位置する部分の高さＨ２ｃが、第１フレーム（25）の凹条部（65）の深さＤ１よりも小さい（Ｈ２ｃ＜Ｄ１）。
【００８５】
このため、熱交換器（10）では、第２フレーム（55）の外側リブ（63）の表（おもて）面と、その表面側に位置する第１エレメント（20）との間に、外側隙間（81）が形成される。この外側隙間（81）の幅Ｗ（＝Ｄ１−Ｈ２ａ＝Ｌ１＋ｔ−Ｈ２ｂ＝Ｄ１−Ｈ２ｃ）は、概ね０．１ｍｍ以上０．２ｍｍ以下程度である。
【００８６】
−接着層、被覆層−
図１０，図１１，図１２に示すように、本実施形態の熱交換器（10）には、接着層（85）と被覆層（86）とが形成される。接着層（85）は、熱交換器（10）に形成された外側隙間（81）を埋める。被覆層（86）は、熱交換器（10）の外面を覆う。
【００８７】
後述するように、接着層（85）及び被覆層（86）とは、積層された第１エレメント（20）及び第２エレメント（50）の外面に塗布した接着剤を硬化させることによって形成される。接着層（85）と被覆層（86）は、同じ材質からなる一体の被膜である。
【００８８】
図１０に示すように、熱交換器（10）の副熱交換部（12a,12b）の第１連通用開口（22）が形成された部分において、第１フレーム（25）の外側リブ（33）の表（おもて）面は、その面に臨む外側隙間（81）を埋める接着層（85）によって、その第１フレーム（25）の表面側に位置する第２エレメント（50）と接合される。また、この部分において、第２フレーム（55）の凸条部（64）の突端面は、その面に臨む外側隙間（81）を埋める接着層（85）によって、その第２フレーム（55）の表（おもて）面側に位置する第１フレーム（25）の第１内側リブ（40）と接合される。
【００８９】
図１１に示すように、熱交換器（10）の副熱交換部（12a,12b）の第２連通用開口（52）が形成された部分において、第１フレーム（25）の凸条部（34）の突端面は、その面に臨む外側隙間（81）を埋める接着層（85）によって、その第１フレーム（25）の表（おもて）面側に位置する第２フレーム（55）の第２内側リブ（70）と接合される。また、この部分において、第２フレーム（55）の外側リブ（63）の表（おもて）面は、その面に臨む外側隙間（81）を埋める接着層（85）によって、その第２フレーム（55）の表面側に位置する第１エレメント（20）と接合される。
【００９０】
図１２に示すように、熱交換器（10）の主熱交換部（11）において、第１フレーム（25）の凸条部（34）の突端面は、その面に臨む外側隙間（81）を埋める接着層（85）によって、その第１フレーム（25）の表（おもて）面側に位置する第２エレメント（50）と接合される。また、この部分において、第２フレーム（55）の凸条部（64）の突端面は、その面に臨む外側隙間（81）を埋める接着層（85）によって、その第２フレーム（55）の表（おもて）面側に位置する第１エレメント（20）と接合される。
【００９１】
〈接着層および被覆層を形成する工程〉
接着層および被覆層を形成する工程について説明する。
【００９２】
熱交換器（10）の製造工程では、先ず、第１フレーム（25）に仕切りシート（15）を貼り付けて第１エレメント（20）を形成し、第２フレーム（55）に仕切りシート（15）を貼り付けて第２エレメント（50）を形成する工程が行われる。その後、第１エレメント（20）と第２エレメント（50）を交互に積み重ねる積層工程が行われる。
【００９３】
図１３に示すように、積層工程が終了した時点では、隣り合う第１エレメント（20）と第２エレメント（50）の間に外側隙間（81）が形成される。上述したように、この外側隙間（81）は、各フレーム（25,55）の外側リブ（33,63）の表（おもて）面に臨む幅の狭い隙間である。また、この外側隙間（81）は、熱交換器（10）の外面に開口している。
【００９４】
積層工程が終了すると、塗布工程が行われる。塗布工程では、熱交換器（10）（言い換えると、第１エレメント（20）と第２エレメント（50）を複数ずつ積み重ねて構成された組立体）の外面に、接着剤が塗布される。この接着剤は、紫外線を受けると硬化する樹脂を主成分とする。また、接着剤は、その粘度が比較的低い。接着剤の粘度は、例えば１０〜２０００ｍＰａ・ｓ程度である。このため、熱交換器（10）の外面に塗布された接着剤は、毛管現象によって外側隙間（81）へ入り込む。
【００９５】
塗布工程が終了すると、硬化工程が行われる。硬化工程では、熱交換器（10）に塗布された接着剤に対して、紫外線が照射される。熱交換器（10）の外面に付着した接着剤は、紫外線を受けて硬化し、熱交換器（10）の外面を覆う被覆層（86）となる。外側隙間に入り込んだ接着剤は、紫外線を受けて硬化して接着層（85）となる。
【００９６】
塗布工程において用いられる接着剤には、抗菌成分と防カビ成分とが含まれている。このため、硬化工程によって形成された接着層（85）及び被覆層（86）には、抗菌成分と防カビ成分とが含まれる。
【００９７】
−仕切りシートの保持構造−
第１エレメント（20）では、第１フレーム（25）の裏面に仕切りシート（15）が接着される。具体的に、第１フレーム（25）の枠部（30）では、閉塞部（31）の裏面と補助リブ（32）の裏面とに、仕切りシート（15）が接着される（図１０〜図１２を参照）。閉塞部（31）では、凹条部（35）の壁面に仕切りシート（15）が接着される。凹条部（35）の壁面は、仕切りシート（15）に覆われる。第１フレーム（25）の各端部エリア（27a,27b）では、第１内側リブ（40）と、裏面側の第１保持リブ（41b）とに、仕切りシート（15）が接着される。第１フレーム（25）の中央エリア（26）では、第１流路内リブ（45）と、裏面側の第１支持リブ（46b）とに、仕切りシート（15）が接着される。
【００９８】
第２エレメント（50）では、第２フレーム（55）の裏面に仕切りシート（15）が接着される。具体的に、第２フレーム（55）の枠部（60）では、閉塞部（61）の裏面と補助リブ（62）の裏面とに、仕切りシート（15）が接着される（図１０〜図１２を参照）。閉塞部（61）では、凹条部（65）の壁面に仕切りシート（15）が接着される。凹条部（65）の壁面は、仕切りシート（15）に覆われる。第２フレーム（55）の各端部エリア（57a,57b）では、第２内側リブ（70）と、裏面側の第２保持リブ（71b）とに、仕切りシート（15）が接着される。第２フレーム（55）の中央エリア（56）では、第２流路内リブ（75）と、裏面側の第２支持リブ（76b）とに、仕切りシート（15）が接着される。
【００９９】
熱交換器（10）では、第１エレメント（20）と第２エレメント（50）が複数ずつ交互に積層される。各エレメント（20,50）の仕切りシート（15）は、隣り合う第１フレーム（25）と第２フレーム（55）に挟まれる。
【０１００】
〈副熱交換部における保持構造（１）〉
図１０に示すように、熱交換器（10）の副熱交換部（12a,12b）の第１連通用開口（22）が形成された部分において、第１フレーム（25）の裏面に接着された仕切りシート（15）は、第１フレーム（25）の補助リブ（32）と、第２フレーム（55）の閉塞部（61）の内側部（66）とによって挟み込まれる。従って、第１フレーム（25）の裏面に接着された仕切りシート（15）には、その裏面側に位置する第２フレーム（55）の閉塞部（61）の内側部（66）の表（おもて）面が密着する。
【０１０１】
また、熱交換器（10）の副熱交換部（12a,12b）の第１連通用開口（22）が形成された部分において、第２フレーム（55）の裏面に接着された仕切りシート（15）は、第２フレーム（55）の閉塞部（61）の内側部（66）と、第１フレーム（25）の第１内側リブ（40）とによって挟み込まれる。従って、第２フレーム（55）の裏面に接着された仕切りシート（15）には、その裏面側に位置する第１フレーム（25）の第１内側リブ（40）の表（おもて）面が密着する。
【０１０２】
上述したように、隣り合う第１エレメント（20）と第２エレメント（50）の間には、外側隙間（81）が形成される。また、熱交換器（10）では、外側隙間（81）を埋めるように接着層（85）が形成される。図１０に示すように、第２フレーム（55）の裏面に接着された仕切りシート（15）は、凹条部（65）を覆う部分が接着層（85）を介して第１フレーム（25）の外側リブ（33）と接着される。また、第２フレーム（55）の外側リブ（63）の一部である凸条部（64）は、接着層（85）を介して第１フレーム（25）の第１内側リブ（40）と接着される。
【０１０３】
〈副熱交換部における保持構造（２）〉
図１１に示すように、熱交換器（10）の副熱交換部（12a,12b）の第２連通用開口（52）が形成された部分において、第１フレーム（25）の裏面に接着された仕切りシート（15）は、第１フレーム（25）の閉塞部（61）の内側部（36）と、第２フレーム（55）の第２内側リブ（70）とによって挟み込まれる。従って、第１フレーム（25）の裏面に接着された仕切りシート（15）には、その裏面側に位置する第２フレーム（55）の第２内側リブ（70）の表（おもて）面が密着する。
【０１０４】
また、熱交換器（10）の副熱交換部（12a,12b）の第２連通用開口（52）が形成された部分において、第２フレーム（55）の裏面に接着された仕切りシート（15）は、第２フレーム（55）の補助リブ（62）と、第１フレーム（25）の閉塞部（31）の内側部（36）とによって挟み込まれる。従って、第２フレーム（55）の裏面に接着された仕切りシート（15）には、その裏面側に位置する第１フレーム（25）の閉塞部（31）の内側部（36）の表（おもて）面が密着する。
【０１０５】
上述したように、隣り合う第１エレメント（20）と第２エレメント（50）の間には、外側隙間（81）が形成される。また、熱交換器（10）では、外側隙間（81）を埋めるように接着層（85）が形成される。図１１に示すように、第１フレーム（25）の裏面に接着された仕切りシート（15）は、凹条部（35）を覆う部分が接着層（85）を介して第２フレーム（55）の外側リブ（63）と接着される。また、第１フレーム（25）の外側リブ（33）の一部である凸条部（34）は、接着層（85）を介して第２フレーム（55）の第２内側リブ（70）と接着される。
【０１０６】
〈主熱交換部における保持構造〉
図１２に示すように、各仕切りシート（15）は、第１フレームの閉塞部（31）の内側部（36）と、第２フレーム（55）の閉塞部（61）の内側部（66）とによって挟み込まれる。具体的に、第１フレーム（25）の裏面に接着された仕切りシート（15）には、その裏面側に位置する第２フレーム（55）の閉塞部（61）の内側部（66）の表（おもて）面が密着する。また、第２フレーム（55）の裏面に接着された仕切りシート（15）には、その裏面側に位置する第１フレーム（25）の閉塞部（31）の内側部（36）の表（おもて）面が密着する。
【０１０７】
上述したように、隣り合う第１エレメント（20）と第２エレメント（50）の間には、外側隙間（81）が形成される。
【０１０８】
具体的に、第１フレーム（25）の凸条部（34）の突端面と、その第１フレーム（25）の表面側に位置する第２エレメント（50）の仕切りシート（15）との間に、外側隙間（81）が形成される。従って、第２エレメント（50）の仕切りシート（15）のうち、第２エレメント（50）の凹条部（65）の壁面を覆う部分は、第１フレーム（25）の凸条部（34）と接しない。一方、外側隙間（81）には、接着層（85）が形成される。そして、第２エレメント（50）の仕切りシート（15）のうち凹条部（65）の壁面を覆う部分は、接着層（85）を介して第１フレーム（25）の凸条部（34）と接着される。
【０１０９】
また、第２フレーム（55）の凸条部（64）の突端面と、その第２フレーム（55）の表面側に位置する第１エレメント（20）の仕切りシート（15）との間に、外側隙間（81）が形成される。従って、第１エレメント（20）の仕切りシート（15）のうち、第１エレメント（20）の凹条部（35）の壁面を覆う部分は、第２フレーム（55）の凸条部（64）と接しない。一方、外側隙間（81）には、接着層（85）が形成される。そして、第１エレメント（20）の仕切りシート（15）のうち凹条部（35）の壁面を覆う部分は、接着層（85）を介して第２フレーム（55）の凸条部（64）と接着される。
【０１１０】
−実施形態１の特徴（１）−
本実施形態の熱交換器（10）は、平坦なシート状の複数の仕切りシート（15）と、仕切りシート（15）と交互に積層されて隣り合う仕切りシート（15）の間隔を保持するフレーム（25,55）とを備える。この熱交換器（10）では、仕切りシート（15）を挟んで第１流路（21）と第２流路（51）とが交互に形成される。
【０１１１】
フレーム（25,55）は、仕切りシート（15）の周縁に沿った枠部（30,60）を有する。枠部（30,60）は、枠部（30,60）の周縁に沿った外側リブ（33,63）と、外側リブ（33,63）の内側に位置して外側リブ（33,63）に沿った内側部（36,66）とを有する。枠部（30,60）の内側部（36,66）は、内側部（36,66）の隣に位置するフレーム（25,55）との間に仕切りシート（15）を挟んで保持する。枠部（30,60）の外側リブ（33,63）と、外側リブ（33,63）の隣に位置するフレーム（25,55）との間には、外側隙間（81）が形成される。
【０１１２】
本実施形態の熱交換器（10）では、仕切りシート（15）の周縁に沿った枠部（30,60）に、外側リブ（33,63）と内側部（36,66）とが設けられる。熱交換器（10）では、各仕切りシート（15）の外側リブ（33,63）と、その外側リブ（33,63）の隣に位置するフレーム（25,55）との間に、外側隙間（81）が形成される。また、熱交換器（10）では、各仕切りシート（15）の内側部（36,66）が、その内側部（36,66）の隣に位置するフレーム（25,55）との間に仕切りシート（15）を挟んで保持する。その結果、フレーム（25,55）の枠部（30,60）と仕切りシート（15）との間がシールされ、熱交換器（10）の気密性が向上する。
【０１１３】
上述したように、フレーム（25,55）は、射出成形によって形成された樹脂製の部材である。射出成形によって扁平な形状の部材を成形する場合は、その部材の外縁に近い部分ほど寸法精度が低くなる傾向がある。従って、本実施形態のフレーム（25,55）では、枠部（30,60）の寸法精度が低くなるおそれがある。
【０１１４】
枠部（30,60）の寸法精度が低いと、枠部（30,60）の全体を隣に位置するエレメント（20,50）と密着させるのが困難となり、隣り合うエレメント（20,50）の間に隙間ができ、熱交換器（10）の気密性が低下するおそれがある。隣り合うエレメント（20,50）の間に隙間ができると、その隙間を通って第１流路（21）又は第２流路（51）から空気が漏れ出し、あるいは、その隙間を通って第１流路（21）又は第２流路（51）へ空気が流入する。
【０１１５】
これに対し、本実施形態のフレーム（25,55）では、寸法精度が比較的低い枠部（30,60）の外周寄りに位置する外側リブ（33,63）の高さを、外側リブ（33,63）の隣に位置するエレメント（20,50）との間に外側隙間（81）が形成されるような値に設定している。また、本実施形態のフレーム（25,55）では、寸法精度が比較的高い枠部（30,60）の内周寄りに位置する内側部（36,66）の高さを、その内側部（36,66）が隣に位置するエレメント（20,50）と密着するような値に設定している。
【０１１６】
このため、本実施形態の熱交換器（10）では、隣り合うエレメント（20,50）の間のシール性を高め、熱交換器（10）の気密性を高めることができる。その結果、正規の経路以外の経路を通って空気の流路（21,51）から漏出し、又は空気の流路（21,51）へ侵入する空気の量を抑えることができる。
【０１１７】
−実施形態１の特徴（２）−
本実施形態の熱交換器（10）は、接着層（85）を備える。接着層（85）は、外側隙間（81）を埋めるように設けられ、枠部（30,60）の外側リブ（33,63）を、その外側リブ（33,63）の隣に位置するフレーム（25,55）に接着する。
【０１１８】
本実施形態の熱交換器（10）では、外側隙間（81）を埋めるように設けられた接着層（85）によって、隣り合うフレーム（25,55）が互いに接着される。また、外側隙間（81）が接着層（85）によって埋められるため、熱交換器（10）の気密性が向上し、その結果、正規の経路以外の経路を通って空気の流路（21,51）から漏出し、または空気の流路（21,51）へ侵入する空気の量が抑えられる。
【０１１９】
−実施形態１の特徴（３）−
本実施形態の熱交換器（10）は、被覆層（86）を備える。被覆層（86）は、接着層（85）と同じ材質からなり、接着層（85）に連続して形成されて熱交換器（10）の外面を覆う。
【０１２０】
本実施形態の熱交換器（10）は、その外面が接着層（85）によって覆われる。このため、積層された各エレメント（20,50）の間のシール性が向上し、熱交換器（10）の気密性が向上するため、正規の経路以外の経路を通って空気の流路（21,51）から漏出し、または空気の流路（21,51）へ侵入する空気の量が抑えられる。
【０１２１】
上述したように、本実施形態の熱交換器（10）は、換気装置に設けられる。換気装置の保守作業では、熱交換器（10）を換気装置から取り外し、又は換気装置に取り付ける作業が行われる。その際に、熱交換器（10）の外面は、換気装置に設けられたガイドレール等に擦れる。このため、換気装置に対する熱交換器（10）の着脱を繰り返すと、熱交換器（10）の外面が摩耗し、各エレメント（20,50）の間のシール性が低下するおそれがあった。
【０１２２】
これに対し、本実施形態の熱交換器（10）は、その外面が接着層（85）によって覆われる。このため、熱交換器（10）の外面が接着層（85）によって保護され、熱交換器（10）の外面の摩耗が抑えられる。従って、本実施形態によれば、熱交換器（10）の耐久性と信頼性を高めることができる。また、熱交換器（10）の外面の摩擦係数を低減でき、熱交換器（10）の換気装置に対する着脱作業を容易にすることができる。
【０１２３】
−実施形態１の特徴（４）−
本実施形態の熱交換器（10）において、接着層（85）は、紫外線を受けて硬化する接着剤によって構成される。
【０１２４】
本実施形態の熱交換器（10）では、外側隙間（81）に入り込んだ接着剤が紫外線を受けて硬化することによって、接着層（85）が形成される。このため、接着剤が硬化する速度を適切に制御することが容易となり、接着層（85）を確実に形成することができる。
【０１２５】
−実施形態１の特徴（５）−
本実施形態の熱交換器（10）において、接着層（85）は、抗菌成分と防カビ成分とを含む。
【０１２６】
本実施形態の熱交換器（10）では、熱交換器（10）における細菌とカビの繁殖を抑えることができ、熱交換器（10）を清潔に保つことができる。
【０１２７】
《実施形態２》
実施形態２について説明する。本実施形態の熱交換器（10）は、実施形態１の熱交換器（10）において、第１フレーム（25）及び第２フレーム（55）を変更したものである。ここでは、本実施形態の熱交換器（10）について、実施形態１の熱交換器（10）と異なる点を説明する。
【０１２８】
−位置決め突起、位置決め孔−
図１４に示すように、第１フレーム（25）と第２フレーム（55）のそれぞれには、位置決め突起（37,67）と、位置決め孔（38,68）とが形成される。各フレーム（25,55）において、位置決め突起（37,67）及び位置決め孔（38,68）は、閉塞部（31,61）のうち主熱交換部（11）を構成する部分に複数ずつ形成される。また、位置決め突起（37,67）及び位置決め孔（38,68）は、閉塞部（31,61）のうち内側部（36,66）を構成する部分に形成される。
【０１２９】
位置決め突起（37,67）は、閉塞部（31,61）の裏面から突出する円柱状の突起である。位置決め孔（38,68）は、閉塞部（31,61）の表（おもて）面に開口する円柱状の窪みである。位置決め孔（38,68）は、内径が位置決め突起（37,67）の外形よりも僅かに大きく、深さが位置決め突起（37,67）の長さよりも長い。
【０１３０】
各フレーム（25,55）の閉塞部（31,61）に複数ずつ形成された位置決め突起（37,67）と位置決め孔（38,68）は、一つずつが対になる。対になった位置決め突起（37,67）と位置決め孔（38,68）は、それぞれの中心軸が実質的に一致するように、図１４における上下に並んで配置される。第１エレメント（20）と第２エレメント（50）を積層した状態では、第１フレーム（25）の位置決め突起（37）が第２フレーム（55）の位置決め孔（68）に嵌まり込み、第２フレーム（55）の位置決め突起（67）が第１フレーム（25）の位置決め孔（38）に嵌まり込むことによって、第１エレメント（20）と第２エレメント（50）の相対的な位置が定まる。
【０１３１】
−導入用窪み、接着層−
各フレーム（25,55）の閉塞部（31,61）では、内側部（36,66）を構成する部分の表（おもて）面に、導入用窪み（82）が形成される。導入用窪み（82）は、深さが概ね０．１ｍｍ〜０．２ｍｍ程度の浅くて平坦な窪みである。導入用窪み（82）は、凸条部（34,64）から位置決め孔（38,68）に亘る領域に形成される。
【０１３２】
上述したように、熱交換器（10）の製造工程の塗布工程では、積層された第１エレメント（20）及び第２エレメント（50）の外面に接着剤が塗布される。熱交換器（10）に塗布された接着剤は、毛管現象によって外側隙間（81）へ入り込み、更には導入用窪み（82）にも毛管現象によって入り込む。その結果、外側隙間（81）と導入用窪み（82）とは、実質的に接着剤で満たされた状態となる。
【０１３３】
塗布工程に続く硬化工程において熱交換器（10）に紫外線が照射されると、外側隙間（81）及び導入用窪み（82）を満たす接着剤が硬化して接着層（85）になる。このため、隣り合う第１エレメント（20）と第２エレメント（50）は、外側隙間（81）と導入用窪み（82）とのそれぞれを埋めるように形成された接着層（85）によって接着される。また、各位置決め突起（37,67）の根元付近の部分が接着層（85）によって囲まれるため、隣り合う第１エレメント（20）と第２エレメント（50）が接着層（85）によって確実にシールされる。
【０１３４】
−実施形態２の特徴−
本実施形態の熱交換器（10）において、フレーム（25,55）の枠部（30,60）には、位置決め突起（37,67）と、位置決め孔（38,68）とが形成される。位置決め突起（37,67）は、仕切りシート（15）の積層方向の一方の面から突出する。位置決め孔（38,68）は、仕切りシート（15）の積層方向の他方の面に開口する。また、位置決め孔（38,68）は、その位置決め孔（38,68）が形成された枠部（30,60）の隣に位置するフレーム（25,55）の位置決め突起（37,67）が嵌り込む。
【０１３５】
本実施形態の熱交換器（10）において、フレーム（25,55）の枠部（30,60）は、位置決め突起（37,67）と、その位置決め突起（37,67）が形成された面とが、その位置決め突起（37,67）が嵌まり込む位置決め孔（38,68）が形成されたフレーム（25,55）に、接着層（85）によって接着される。
【０１３６】
本実施形態の熱交換器（10）において、  各フレーム（25,55）の位置決め突起（37,67）は、そのフレーム（25,55）の隣に位置するフレーム（25,55）の位置決め孔（38,68）に入り込む。このことによって、隣り合うフレーム（25,55）同士の相対的な位置が定まる。各フレーム（25,55）の位置決め突起（37,67）は、そのフレーム（25,55）の隣に位置するフレーム（25,55）と接着層（85）によって接着される。
【０１３７】
《その他の実施形態》
上記の各実施形態の熱交換器（10）については、次のような変形例を適用してもよい。なお、以下の変形例は、熱交換器（10）の機能を損なわない限り、適宜組み合わせたり、置換したりしてもよい。
【０１３８】
上記の各実施形態の熱交換器（10）では、仕切りシート（15）がフレーム（25,55）に接着されていなくてもよい。この場合、仕切りシート（15）は、その両隣に位置する第１フレーム（25）と第２フレーム（55）に挟まれて保持される。
【０１３９】
上記の各実施形態の熱交換器（10）は、給気と排気の間で顕熱だけを交換させる顕熱交換器であってもよい。この場合、熱交換器（10）の仕切りシート（15）は、透湿性が低い、あるいは透湿性が全く無い材料（例えば、樹脂フィルムや薄板状の金属）で構成される。
【０１４０】
上記の各実施形態の熱交換器（10）の形状は、八角柱状に限定されない。これらの熱交換器（10）の形状は、例えば六角柱状であってもよいし、四角柱状であってもよい。熱交換器（10）が六角柱状である場合、その熱交換器（10）の平面図（図２に対応する図）において、各副熱交換部（12a,12b）は、三角形状となる。
【０１４１】
上記の各実施形態の熱交換器（10）において、接着層（85）及び被覆層（86）を形成するために用いられる接着剤は、水性エマルジョン系の接着剤でもよい。例えば、被覆層（86）の硬度がそれほど高くなくてもよい場合は、水性エマルジョン系の接着剤を用いて接着層（85）及び被覆層（86）を形成してもよい。
【０１４２】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【０１４３】
以上説明したように、本開示は、熱交換器について有用である。
【符号の説明】
【０１４４】
10    熱交換器
15    仕切りシート（仕切り部材）
21    第１流路
25    第１フレーム（間隔保持部材）
30    枠部
33    外側リブ（外側部）
36    内側部
37    位置決め突起
38    位置決め孔
51    第２流路
55    第２フレーム（間隔保持部材）
60    枠部
63    外側リブ（外側部）
66    内側部
67    位置決め突起
68    位置決め孔
81    外側隙間
85    接着層
86    被覆層
【要約】
【課題】熱交換器の気密性を向上させる。
【解決手段】熱交換器（10）では、仕切り部材（15）と間隔保持部材（25,55）が交互に積層される。間隔保持部材（25,55）の外周に沿った枠部（30,60）は、外側部（33,63）と内側部（36,66）とを備える。外側部（33,63）は、枠部（30,60）の周縁に沿う。内側部（36,66）は、外側部（33,63）の内側に位置し、外側部（33,63）に沿う。内側部（36,66）は、その隣に位置する間隔保持部材（25,55）との間に仕切り部材（15）を挟んで保持する。外側部（33,63）と、その隣に位置する間隔保持部材（25,55）との間には、外側隙間（81）が形成される。
【選択図】図１２【図１】
0006806207.tif 000002
【図２】
0006806207.tif 000003
【図３】
0006806207.tif 000004
【図４】
0006806207.tif 000005
【図５】
0006806207.tif 000006
【図６】
0006806207.tif 000007
【図７】
0006806207.tif 000008
【図８】
0006806207.tif 000009
【図９】
0006806207.tif 000010
【図１０】
0006806207.tif 000011
【図１１】
0006806207.tif 000012
【図１２】
0006806207.tif 000013
【図１３】
0006806207.tif 000014
【図１４】
0006806207.tif 000015